(57)【要約】【課題】  意図しない者によるＬＥＤランプの脱着を抑制可能なＬＥＤ照明器具を提供すること。【解決手段】  複数のＬＥＤ２２およびｘ方向両端に設けられた一対の口金３を有する直管形のＬＥＤランプ２と、一対の口金３が取り付けられる一対のソケット４と、を備えるＬＥＤ照明器具Ａ１であって、口金３とソケット４との少なくとも一部を覆い且つ口金３とソケット４とを固定する固定部材６を備える。【選択図】  図６
2020145148.tif 000002
【特許請求の範囲】
【請求項１】
複数のＬＥＤおよび長手方向両端に設けられた一対の口金を有する直管形のＬＥＤランプと、
前記一対の口金が取り付けられる一対のソケットと、を備えるＬＥＤ照明器具であって、
前記口金と前記ソケットとの少なくとも一部を覆い且つ前記口金と前記ソケットとを固定する固定部材を備えることを特徴とする、ＬＥＤ照明器具。
【請求項２】
前記固定部材の一部によって構成された、第１係合手段と、
前記口金および前記ソケットの一部ずつによって構成された、第２係合手段と、を備え、
前記第１係合手段と前記第２係合手段とが係合することにより、前記固定部材を介して前記口金と前記ソケットとが固定される、請求項１に記載のＬＥＤ照明器具。
【請求項３】
前記固定部材は、第１凸部および第２凸部を有し、
前記口金は、前記第１凸部と係合する第１受容部を有し、
前記ソケットは、前記第２凸部と係合する第２受容部を有し、
前記第１係合手段は、前記第１凸部および前記第２凸部を含み、
前記第２係合手段は、前記第１受容部および前記第２受容部を含む、請求項２に記載のＬＥＤ照明器具。
【請求項４】
前記固定部材は、第１受容部および第２受容部を有し、
前記口金は、前記第１受容部と係合する第１凸部を有し、
前記ソケットは、前記第２受容部と係合する第２凸部を有し、
前記第１係合手段は、前記第１受容部および前記第２受容部を含み、
前記第２係合手段は、前記第１凸部および前記第２凸部を含む、請求項２に記載のＬＥＤ照明器具。
【請求項５】
前記第１受容部は、前記ＬＥＤランプの周方向に沿った溝部である、請求項３または４に記載のＬＥＤ照明器具。
【請求項６】
単相３線式の電力が入力される端子台をさらに備えており、
前記端子台から一方の前記ソケットに、２本の電圧線が接続され、
前記端子台から他方の前記ソケットに、１本の中性線が接続される、請求項１ないし５のいずれかに記載のＬＥＤ照明器具。
【請求項７】
前記一対のソケットが取り付けられており、且つ磁性体材料からなる支持部材をさらに備えており、
前記端子台は、磁力によって前記支持部材に固定されている、請求項６に記載のＬＥＤ照明器具。
【請求項８】
前記固定部材と前記口金とを固定するねじをさらに備えており、
前記口金には、前記ねじと螺合する雌ねじ部が形成されており、
前記固定部材は、前記ねじを挿通させる挿通孔が形成され且つ前記雌ねじ部から空隙を隔てて膨出した形状の膨出部を有する、請求項１ないし７のいずれかに記載のＬＥＤ照明器具。
【請求項９】
前記ねじは、ねじ頭部とは反対側に位置し且つ外径が前記挿通孔の内径よりも大きい大径部と、前記ねじ頭部と前記大径部との間に位置し且つ外径が前記挿通孔の内径よりも小さい小径部と、を有する、請求項８に記載のＬＥＤ照明器具。
【発明の詳細な説明】
【技術分野】
【０００１】
本発明は、ＬＥＤ照明器具に関する。
【背景技術】
【０００２】
直管形の蛍光灯の代替品として、複数のＬＥＤを有するＬＥＤランプが普及している。特許文献１には、従来のＬＥＤ照明器具の一例が開示されている。同文献に開示されたＬＥＤ照明器具は、一対のソケットと当該一対のソケットに取り付けられるＬＥＤランプとを備える。一対のソケットは、支持部材に固定されている。また、このＬＥＤ照明器具においては、支持部材に固定されるアダプタが用いられている。このアダプタは、ＬＥＤランプの落下を防止するために設けられている。
【先行技術文献】
【特許文献】
【０００３】
【特許文献１】特開２０１２−４３６２０号公報
【発明の概要】
【発明が解決しようとする課題】
【０００４】
しかしながら、ＬＥＤランプは、一対の口金が一対のソケットに嵌め込まれることにより、一対のソケットに装填された状態で使用される。このため、一般使用者が、ＬＥＤランプを一対のソケットから容易に取り外すことが可能である。ＬＥＤランプは、蛍光灯とは電源への接続が異なる場合が多く、ＬＥＤ照明器具の電源仕様を理解した者がＬＥＤランプの交換作業等を行うことが好ましい。
【０００５】
本発明は、上記した事情のもとで考え出されたものであって、意図しない者によるＬＥＤランプの脱着を抑制可能なＬＥＤ照明器具を提供することをその課題とする。
【課題を解決するための手段】
【０００６】
本発明によって提供されるＬＥＤ照明器具は、複数のＬＥＤおよび長手方向両端に設けられた一対の口金を有する直管形のＬＥＤランプと、前記一対の口金が取り付けられる一対のソケットと、を備えるＬＥＤ照明器具であって、前記口金と前記ソケットとの少なくとも一部を覆い且つ前記口金と前記ソケットとを固定する固定部材を備えることを特徴としている。
【０００７】
本発明の好ましい実施の形態においては、前記固定部材の一部によって構成された、第１係合手段と、前記口金および前記ソケットの一部ずつによって構成された、第２係合手段と、を備え、前記第１係合手段と前記第２係合手段とが係合することにより、前記固定部材を介して前記口金と前記ソケットとが固定される。
【０００８】
本発明の好ましい実施の形態においては、前記固定部材は、第１凸部および第２凸部を有し、前記口金は、前記第１凸部と係合する第１受容部を有し、前記ソケットは、前記第２凸部と係合する第２受容部を有し、前記第１係合手段は、前記第１凸部および前記第２凸部を含み、前記第２係合手段は、前記第１受容部および前記第２受容部を含む。
【０００９】
本発明の好ましい実施の形態においては、前記固定部材は、第１受容部および第２受容部を有し、前記口金は、前記第１受容部と係合する第１凸部を有し、前記ソケットは、前記第２受容部と係合する第２凸部を有し、前記第１係合手段は、前記第１受容部および前記第２受容部を含み、前記第２係合手段は、前記第１凸部および前記第２凸部を含む。
【００１０】
本発明の好ましい実施の形態においては、前記第１受容部は、前記ＬＥＤランプの周方向に沿った溝部である。
【００１１】
本発明の好ましい実施の形態においては、単相３線式の電力が入力される端子台をさらに備えており、前記端子台から一方の前記ソケットに、２本の電圧線が接続され、前記端子台から他方の前記ソケットに、１本の中性線が接続される。
【００１２】
本発明の好ましい実施の形態においては、前記一対のソケットが取り付けられており、且つ磁性体材料からなる支持部材をさらに備えており、前記端子台は、磁力によって前記支持部材に固定されている。
【００１３】
本発明の好ましい実施の形態においては、前記固定部材と前記口金とを固定するねじをさらに備えており、前記口金には、前記ねじと螺合する雌ねじ部が形成されており、前記固定部材は、前記ねじを挿通させる挿通孔が形成され且つ前記雌ねじ部から空隙を隔てて膨出した形状の膨出部を有する。
【００１４】
本発明の好ましい実施の形態においては、前記ねじは、ねじ頭部とは反対側に位置し且つ外径が前記挿通孔の内径よりも大きい大径部と、前記ねじ頭部と前記大径部との間に位置し且つ外径が前記挿通孔の内径よりも小さい小径部と、を有する。
【発明の効果】
【００１５】
本発明によれば、意図しない者によるＬＥＤランプの脱着を抑制することができる。
【００１６】
本発明のその他の特徴および利点は、添付図面を参照して以下に行う詳細な説明によって、より明らかとなろう。
【図面の簡単な説明】
【００１７】
【図１】本発明の第１実施形態に係るＬＥＤ照明器具を示す斜視図である。
【図２】本発明の第１実施形態に係るＬＥＤ照明器具の支持部材およびソケットを示す分解斜視図である。
【図３】本発明の第１実施形態に係るＬＥＤ照明器具のＬＥＤランプおよびソケットを示す斜視図である。
【図４】本発明の第１実施形態に係るＬＥＤ照明器具のＬＥＤランプおよびソケットを示す要部斜視図である。
【図５】本発明の第１実施形態に係るＬＥＤ照明器具のＬＥＤランプおよびソケットを示す正面図である。
【図６】本発明の第１実施形態に係るＬＥＤ照明器具のＬＥＤランプおよびソケットを示す分解斜視図である。
【図７】本発明の第１実施形態に係るＬＥＤ照明器具のＬＥＤランプを示す要部拡大斜視図である。
【図８】本発明の第１実施形態に係るＬＥＤ照明器具を示す要部拡大断面図である。
【図９】図８のＩＸ−ＩＸ線に沿う断面図である。
【図１０】図８のＸ−Ｘ線に沿う断面図である。
【図１１】本発明の第１実施形態に係るＬＥＤ照明器具のソケットを示す、（ａ）は正面図であり、（ｂ）は側面図であり、（ｃ）は背面図であり、（ｄ）は、斜視図である。
【図１２】本発明の第１実施形態に係るＬＥＤ照明器具の固定具を示す、（ａ）は正面図であり、（ｂ）は平面図であり、（ｃ）は底面図であり、（ｄ）は側面図であり、（ｅ）は（ａ）のＸＩＩ−ＸＩＩ線に沿う断面図であり、（ｆ）は斜視図である。
【図１３】本発明の第１実施形態に係るＬＥＤ照明器具の第１変形例を示す要部拡大断面図である。
【図１４】本発明の第１実施形態に係るＬＥＤ照明器具の第２変形例を示す要部拡大断面図である。
【図１５】本発明の第１実施形態に係るＬＥＤ照明器具の第２変形例を示す要部拡大断面図である。
【図１６】本発明の第１実施形態に係るＬＥＤ照明器具の第３変形例の支持部材、ソケットおよび端子台を示す斜視図である。
【図１７】本発明の第１実施形態に係るＬＥＤ照明器具の第３変形例を示すブロック構成図である。
【図１８】本発明の第２実施形態に係るＬＥＤ照明器具を示す要部分解斜視図である。
【図１９】本発明の第２実施形態に係るＬＥＤ照明器具を示す要部拡大斜視図である。
【図２０】本発明の第２実施形態に係るＬＥＤ照明器具を示す要部拡大断面図である。
【図２１】図２０のＸＸI−ＸＸI線に沿う断面図である。
【図２２】本発明の第２実施形態に係るＬＥＤ照明器具を示す要部拡大分解斜視図である。
【図２３】本発明の第２実施形態に係るＬＥＤ照明器具を示す断面図である。
【図２４】本発明の第２実施形態に係るＬＥＤ照明器具の固定具を示す、（ａ）は正面図であり、（ｂ）は平面図であり、（ｃ）は底面図であり、（ｄ）は側面図であり、（ｅ）は斜視図である。
【図２５】本発明の第２実施形態に係るＬＥＤ照明器具の第１変形例を示す要部拡大斜視図である。
【図２６】本発明の第２実施形態に係るＬＥＤ照明器具の第１変形例を示す要部拡大分解斜視図である。
【図２７】本発明の第２実施形態に係るＬＥＤ照明器具の第２変形例を示す要部拡大斜視図である。
【図２８】本発明の第２実施形態に係るＬＥＤ照明器具の第２変形例を示す要部拡大分解斜視図である。
【図２９】本発明の第２実施形態に係るＬＥＤ照明器具の第３変形例を示す要部拡大斜視図である。
【図３０】本発明の第２実施形態に係るＬＥＤ照明器具の第３変形例を示す要部拡大分解斜視図である。
【図３１】本発明の第２実施形態に係るＬＥＤ照明器具の第３変形例の固定具を示す斜視図である。
【図３２】本発明の第２実施形態に係るＬＥＤ照明器具の第４変形例を示す要部拡大斜視図である。
【図３３】本発明の第２実施形態に係るＬＥＤ照明器具の第４変形例を示す要部拡大分解斜視図である。
【図３４】本発明の第２実施形態に係るＬＥＤ照明器具の第５変形例を示す要部拡大斜視図である。
【図３５】本発明の第２実施形態に係るＬＥＤ照明器具の第５変形例を示す要部拡大分解斜視図である。
【図３６】本発明の第２実施形態に係るＬＥＤ照明器具の第６変形例を示す要部拡大斜視図である。
【図３７】本発明の第２実施形態に係るＬＥＤ照明器具の第６変形例を示す要部拡大斜視図である。
【図３８】本発明の第２実施形態に係るＬＥＤ照明器具の第６変形例を示す要部断面図である。
【発明を実施するための形態】
【００１８】
以下、本発明の好ましい実施の形態につき、図面を参照して具体的に説明する。
【００１９】
本開示における「第１」、「第２」等の用語は、単にラベルとして用いたものであり、必ずしもそれらの対象物に順列を付することを意図していない。
【００２０】
＜第１実施形態＞
図１〜図１２は、本発明の第１実施形態に係るＬＥＤ照明器具を示している。本実施形態のＬＥＤ照明器具Ａ１は、支持部材１、ＬＥＤランプ２、ソケット４、ねじ５および固定具６を備えている。ＬＥＤ照明器具Ａ１は、たとえば、従前に直管形の蛍光灯が装填されて使用されていた照明器具の一部の構成を変更することにより、ＬＥＤ照明器具として構成したものである。ただし、本発明に係るＬＥＤ照明器具は、蛍光灯が装填される照明器具を変更したものに限定されず、すべてが新規に製造されたものでもよい。
【００２１】
図１は、ＬＥＤ照明器具Ａ１を示す斜視図である。図２は、ＬＥＤ照明器具Ａ１の支持部材およびソケットを示す分解斜視図である。図３は、ＬＥＤ照明器具Ａ１のＬＥＤランプおよびソケットを示す斜視図である。図４は、ＬＥＤ照明器具Ａ１のＬＥＤランプおよびソケットを示す要部斜視図である。図５は、ＬＥＤ照明器具Ａ１のＬＥＤランプおよびソケットを示す正面図である。図６は、ＬＥＤ照明器具Ａ１のＬＥＤランプおよびソケットを示す分解斜視図である。図７は、ＬＥＤ照明器具Ａ１のＬＥＤランプを示す要部拡大斜視図である。図８は、ＬＥＤ照明器具Ａ１を示す要部拡大断面図であり、ＬＥＤランプ２の中心を通るｚｘ平面における断面である。図９は、図８のＩＸ−ＩＸ線に沿う断面図である。図１０は、図８のＸ−Ｘ線に沿う断面図である。図１１は、ＬＥＤ照明器具Ａ１のソケットを示す、（ａ）は正面図であり、（ｂ）は側面図であり、（ｃ）は背面図であり、（ｄ）は、斜視図である。図１２は、ＬＥＤ照明器具Ａ１の固定具を示す、（ａ）は正面図であり、（ｂ）は平面図であり、（ｃ）は底面図であり、（ｄ）は側面図であり、（ｅ）は（ａ）のＸＩＩ−ＸＩＩ線に沿う断面図であり、（ｆ）は斜視図である。なお、図４においては、理解の便宜上、後述のＬＥＤランプ２のカバー２３を省略している。これらの図において、ｘ方向は、ＬＥＤランプ２の長手方向である。ｙ方向は、ｘ方向と直角である方向である。ｚ方向は、ｘ方向およびｙ方向と直角であり、本実施形態においては鉛直方向と一致し、図中ｚ方向下側に天井が存在し、図中ｚ方向上側に床面が存在する場合を例に説明する。また、また本発明における周方向は、ｘ方向を中心軸とした場合の当該中心軸周りに周回する方向である。また、ｘ方向を中心軸とした場合に、当該中心軸に向かう方向を径方向と称する場合がある。
【００２２】
図１に示すように、本実施形態においては、ＬＥＤ照明器具Ａ１は、２つのＬＥＤランプ２を備えている。これに対応して、ＬＥＤ照明器具Ａ１は、二対のソケット４、二対のねじ５および二対の固定具６を備えている。ＬＥＤ照明器具Ａ１が備えるＬＥＤランプ２の本数は特に限定されず、１本でもよいし、３本以上であってもよい。ソケット４、ねじ５および固定具６の個数は、ＬＥＤランプ２の本数に応じて適宜設定される。以降においては、説明の便宜上、１本のＬＥＤランプ２、一対のソケット４、一対のねじ５および一対の固定具６を一つの単位として説明する場合がある。
【００２３】
〔支持部材１〕
支持部材１は、ソケット４を支持しており、ソケット４を介してＬＥＤランプ２を支持するものである。支持部材１の構成は特に限定されず、本実施形態においては、図２に示すように、底板部１１、一対の端板部１２、一対の連結板部１３、リフレクタ１４、および複数の接続部材１５を備えている。支持部材１の各部の材質は特に限定されず、たとえば金属板に切断加工および折り曲げ加工を施すことによって形成される。
【００２４】
底板部１１は、ｘ方向に長く延びる部位であり、たとえば天井等に取り付けられるものである。一対の端板部１２は、底板部１１のｘ方向両側に位置しており、リフレクタ１４のｘ方向両端に分かれて取り付けられる。一対の端板部１２とリフレクタ１４との取付には、たとえば複数の接続部材１５が用いられ、たとえば溶接によって接合される。端板部１２の形状は特に限定されず、図示された例においては、ｘ方向視において六角形状である。一対の連結板部１３は、底板部１１にリフレクタ１４を連結するためのものである。連結板部１３の形状は特に限定されず、図示された例においては、ｘ方向視においてコの字状である。連結板部１３は、底板部１１に対してたとえばリベットによって取り付けられる。
【００２５】
リフレクタ１４は、連結板部１３を介して底板部１１に連結されており、ＬＥＤランプ２からｚ方向天井側およびｙ方向両側に進行した光をｚ方向床面側に反射する機能を果たす。リフレクタ１４は、たとえば白色や金属光沢色であることが好ましい。図示された例においては、リフレクタ１４は、底面部１４１、一対の側面部１４２および一対の斜面部１４３を有する。底面部１４１は、底板部１１と対向しており、ｘ方向に長く延びる帯板状の部位である。一対の側面部１４２は、底面部１４１に対してｙ方向両側に位置しており、底面部１４１に対してｚ方向床面側に位置している。一対の側面部１４２は、各々がｘ方向に長く延び且つｚ方向に起立した帯板状の部位であり、互いに平行である。一対の斜面部１４３は、底面部１４１と一対の側面部１４２との間に介在しており、図示された例においては、底面部１４１と一対の側面部１４２とにそれぞれ繋がっている。斜面部１４３は、ｘ方向に長く延びる帯板状の部位であり、ｙ方向およびｚ方向に対して傾いている。
【００２６】
また、本実施形態の支持部材１は、図１に示すように、ルーバーカバー１９を有する。ルーバーカバー１９は、複数の帯状部材が格子状に組み立てられたものである。ルーバーカバー１９は、ＬＥＤランプ２を保護したり、ＬＥＤランプ２からの光をより拡散させたりする機能を果たす。
【００２７】
〔ＬＥＤランプ２〕
ＬＥＤランプ２は、ＬＥＤ照明器具Ａ１の光源となるものであり、いわゆる直管形の蛍光灯の代替品として用いられる。ＬＥＤランプ２は、全体としてｘ方向に長く延びている。本実施形態のＬＥＤランプ２は、図３〜図１０に示すように、ＬＥＤ基板２１、複数のＬＥＤ２２、カバー２３、放熱部材２４および一対の口金３を備える。
【００２８】
ＬＥＤ基板２１は、図４、図８および図９に示すように、ｘ方向を長手方向とし、ｙ方向を幅方向とし、ｚ方向を厚さ方向とする、長矩形状である。ＬＥＤ基板２１のｚ方向において床面側を向く面には、複数のＬＥＤ２２が搭載されている。ＬＥＤ基板２１は、たとえばガラスエポキシ樹脂やセラミックス等の絶縁性材料からなる基材と、この基材上に形成された配線パターン（図示略）とからなる。ＬＥＤ基板２１は、放熱部材２４に対してたとえば接着材や接着テープ等によって取り付けられる。
【００２９】
複数のＬＥＤ２２に通電されることによって発光する発光体であり、ＬＥＤ基板２１の片面においてｘ方向に配列されている。図示された例においては、複数のＬＥＤ２２は、ｘ方向に１列に配置されているが、ｙ方向に互いに離間した複数列に配置されていてもよい。
【００３０】
ＬＥＤ２２は、ＬＥＤチップ（図示略）を含む。ＬＥＤ２２は、ＬＥＤチップ単体からなるものでも、ＬＥＤチップ以外の構成要素を含むものであってもよい。ＬＥＤ２２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２２は、白色光を発する構成とすることができる。
【００３１】
カバー２３は、図３、図５、図７、図８および図９に示すように、ＬＥＤ基板２１および複数のＬＥＤ２２を覆っており、放熱部材２４によって支持されている。カバー２３は、複数のＬＥＤ２２からの光を透過させる材質からなる。本実施形態においては、カバー２３は、ｘ方向を長手方向とする断面半円弧形状である。ただし、カバー２３の形状は特に限定されず、たとえば円筒形状であってもよい。カバー２３の材質は特に限定されず、ＬＥＤ２２からの光を透過させる透明または半透明の樹脂等からなる。本実施形態においては、カバー２３は、半透明の乳白色の樹脂からなる。
【００３２】
図９に示すように、本実施形態のカバー２３は、半筒部２３１、一対の凸条部２３２および一対の係合リブ２３３を有する。半筒部２３１は、ｘ方向に長く延びる断面半円固形状の部位である。一対の凸条部２３２は、半筒部２３１の内周面のｙ方向両側部分からｙ方向内方に向けて突出しており、ｘ方向に長く延びている。一対の係合リブ２３３は、半筒部２３１のｙ方向両端縁からｙ方向内方に突出しており、ｘ方向に長く延びている。一対の凸条部２３２および一対の係合リブ２３３は、半筒部２３１のｘ方向全長にわたって設けられていてもよいし、一部に設けられていてもよい。
【００３３】
放熱部材２４は、図３〜図９に示すように、ＬＥＤ基板２１を支持するものであり、ＬＥＤ２２の点灯時に発する熱が伝達される部材である。放熱部材２４の材質は特に限定されず、たとえばアルミ等の金属が好ましい。図４、図８および図９に示すように、本実施形態の放熱部材２４は、支持板部２４１、半筒部２４２、一対の凸条部２４３および一対の溝部２４４を有する。このような放熱部材２４は、たとえばアルミの押出成形によって形成される。
【００３４】
支持板部２４１は、ｘ方向を長手方向とし、ｙ方向を幅方向とする帯板状の部位である。支持板部２４１の片面には、ＬＥＤ基板２１が取り付けられている。半筒部２４２は、支持板部２４１に対してｚ方向天井側に位置している。支持板部２４１はｘ方向に長く伸びており、ｘ方向視において半円弧形状である。本実施形態においては、放熱部材２４の半筒部２４２とカバー２３の半筒部２３１とが、ｘ方向視において略円筒形状の部位を構成している。一対の凸条部２４３は、支持板部２４１のｙ方向両端からｚ方向床面側に突出しており、ｘ方向に長く延びている。一対の溝部２４４は、支持板部２４１と半筒部２４２との間に設けられており、ｘ方向に長く延びている。溝部２４４は、ｙ方向外方からｙ方向内方に凹んでいる。
【００３５】
図９に示すように、カバー２３の一対の係合リブ２３３が放熱部材２４の一対の溝部２４４に係合することにより、カバー２３が放熱部材２４に対して取り付けられている。また、カバー２３の一対の凸条部２３２と放熱部材２４の一対の凸条部２４３とによって、２３と放熱部材２４との相対位置が、より正確に規定されている。
【００３６】
口金３は、ソケット４に差し込まれることにより、ＬＥＤランプ２を一対のソケット４に装填するための部位である。ＬＥＤランプ２は、カバー２３および放熱部材２４のｘ方向両端に一対の口金３を有している。本実施形態の口金３は、図６〜図１０に示すように、口金本体３１および一対の端子３２を有する。
【００３７】
口金本体３１は、たとえば樹脂からなり、図示された例においては、端面部３１１および周面部３１２を有する。端面部３１１は、ｘ方向端部に位置しており、ｘ方向視において略円形状の円板状部位である。周面部３１２は、端面部３１１の周縁からｘ方向内方に延びており、略筒状の部位である。
【００３８】
図７、図８および図１０に示すように、口金本体３１は、第１受容部３１３および雌ねじ部３１５を有する。第１受容部３１３は、周面部３１２の外表面から径方向内方に凹んでいる。図示された例においては、第１受容部３１３は、周方向に沿った溝部によって構成されている。第１受容部３１３が設けられる範囲は特に限定されず、図示された例においては、周方向において概ね９０°の範囲に設けられている。雌ねじ部３１５は、周面部３１２から径方向に凹むように設けられており、ねじ５と螺合するものである。図示された例においては、雌ねじ部３１５は、ｘ方向において端面部３１１と第１受容部３１３との間に設けられている。
【００３９】
一対の端子３２は、ソケット４に差し込まれることにより、ソケット４によって支持されるとともに、ＬＥＤ２２を点灯させるための電流を流すための導通経路を構成する。一対の端子３２は、口金本体３１の端面部３１１からｘ方向外方に突出する棒状部材であり、金属からなる。一対の端子３２は、径方向に互いに離間しており、ＬＥＤランプ２がソケット４に装填された状態では、ｙ方向に互いに離間する状態とされる。
【００４０】
なお、一対の口金３（端子３２）とＬＥＤ２２との間には、図示しない電源部が電気的に介在してもよい。電源部は、一対の口金３から受けた電力をＬＥＤ２２の点灯に適した電力に変換するためのものである。また、当該電源部に相当する機能を果たす構成要素を、ＬＥＤランプ２外に適宜設けてもよい。
【００４１】
〔ソケット４〕
一対のソケット４は、ＬＥＤランプ２を支持するとともに、ＬＥＤランプ２を点灯させるための電力を供給する部位である。本実施形態においては、ソケット４は、図２に示すように、支持部材１の底板部１１に支持されている。ソケット４の構成は特に限定されず、本実施形態においては、図６および図８〜図１１に示すように、内面４１、外面４２、一対の側面４３、円弧面４４、端子受容部４５および第２受容部４６を有する。また、ソケット４には図示しない給電用の電線が接続されている。
【００４２】
内面４１は、ｘ方向内方を向く面であり、ｘ方向に対して概ね直角である。外面４２は、内面４１とは反対側のｘ方向外方を向く面であり、ｘ方向に対して概ね直角である。一対の側面４３は、内面４１および外面４２のｙ方向両側同士を繋いでいる。円弧面４４は、一対の側面４３に対してｚ方向床面側において内面４１と外面４２とを繋ぐ面であり、ｘ方向視において略円弧状部分を有する曲面である。端子受容部４５は、口金３の一対の端子３２が差し込まれる部位であり、内面４１および円弧面４４に開口している。図示された例においては、端子受容部４５は、ｚ方向床面側からｚ方向天井側へと、ｚ方向に並んだ一対の端子３２が挿入された後に、ｘ方向周りの周方向に９０°程度回転することにより、ＬＥＤランプ２を保持する。第２受容部４６は、端子受容部４５が円弧面４４に開口する部位であり、円弧面４４からｚ方向天井側に凹んだ形状部分である。
【００４３】
〔固定具６〕
一対の固定具６は、各々が口金３とソケット４との少なくとも一部を覆い、且つ装填された状態の口金３とソケット４とを固定するものである。図３〜図６、図８、図１０および図１２に示すように、本実施形態の固定具６は、口金３の端面部３１１および周面部３１２とソケット４の外面４２、一対の側面４３および円弧面４４の一部ずつを覆っている。図８および図１２に示すように、本実施形態の固定具６は、外面部６１、一対の側面部６２、円弧面部６３、第１凸部６４、第２凸部６５および挿通孔６９を有する。固定具６の材質は特に限定されず、たとえば樹脂からなる。
【００４４】
外面部６１は、ｘ方向に対して略直角な平板状の部位であり、ソケット４の外面４２をｘ方向外方から覆う部位である。一対の側面部６２は、外面部６１のｙ方向両側からｘ方向内方に延びておりソケット４の一対の側面４３をｙ方向外方から覆う部位である。円弧面部６３は、外面部６１のｚ方向床側部分からｘ方向内方に延びており、ｘ方向視において円弧形状部分を有する部位である。円弧面部６３は、ソケット４の円弧面４４をｚ方向床面側から覆っている。第１凸部６４は、円弧面部６３の内面からｚ方向天井側に突出した部位である。第２凸部６５は、円弧面部６３の内面からｚ方向天井側に突出しており、ｘ方向において、第１凸部６４と外面部６１との間に位置している。挿通孔６９は、円弧面部６３をｚ方向に貫通しており、ｘ方向において第１凸部６４と第２凸部６５との間に位置している。
【００４５】
〔ねじ５〕
ねじ５は、図６および図８に示すように、螺合によって固定具６を口金３に固定するためのものである。本実施形態においては、ねじ５は、固定具６の挿通孔６９に挿通されて、口金３の雌ねじ部３１５に螺合されている。
【００４６】
図８に示すように、ソケット４に口金３を差し込んだ状態で、口金３およびソケット４に固定具６を被せると、固定具６の第１凸部６４が口金３の第１受容部３１３に係合し、第２凸部６５がソケット４の第２受容部４６に係合する。そして、第１凸部６４が第１受容部３１３内を移動するようにＬＥＤランプ２を回動させ、ソケット４に口金３を装填する。その後、ねじ５を雌ねじ部３１５に螺合させると、固定具６の取付が完了する。この状態において、第１凸部６４および第２凸部６５は、第１係合手段７１を構成しており、口金３の第１受容部３１３およびソケット４の第２受容部４６は、第２係合手段７２を構成している。第１係合手段７１と第２係合手段７２とは、互いに係合することにより、口金３とソケット４と固定するためのものである。なお、第１係合手段７１および第２係合手段７２の具体的構成は特に限定されず、互いが係合することにより、口金３とソケット４とがたとえばｘ方向に離間することを阻止する構成が採用される。また、第１係合手段７１と第２係合手段７２との係合は、一方が他方に収容された態様や、互いに接する態様、さらには互いに嵌合の関係となる態様等が適宜採用される。
【００４７】
次に、ＬＥＤ照明器具Ａ１の作用について説明する。
【００４８】
本実施形態によれば、第１係合手段７１と第２係合手段７２とが係合することにより、口金３とソケット４とが互いに固定されている。このため、一般的な直管形の蛍光灯を取り外すように、ＬＥＤランプ２を取り外そうとすることを、固定具６によって阻止することが可能である。これにより、ＬＥＤ照明器具Ａ１の電源仕様を適切に理解していない者など、意図しない者がＬＥＤランプ２を脱着することを抑制することが可能である。これは、ＬＥＤランプ２を誤って装着してしまうこと等を防止するのに好ましい。
【００４９】
本実施形態においては、第１係合手段７１が、固定具６の第１凸部６４および第２凸部６５によって構成されており、ＬＥＤランプ２が、口金３の第１受容部３１３とソケット４の第２受容部４６とによって構成されている。これにより、第１凸部６４が第１受容部３１３内を移動することによって係合され、第２凸部６５が第２受容部４６に挿入することによって係合する。すなわち、ソケット４と口金３が未装填の状態で、第１凸部６４を第１受容部３１３内に挿入し、また、第２凸部６５を第２受容部４６に挿入する。その後、ソケット４を口金３に装填させるように、ＬＥＤランプ２を回転させる。その際に、第１凸部６４を第１受容部内で移動させる。これにより、第１係合手段７１と第２係合手段７２とを係合させるための動作がより簡便となる。したがって、固定具６の取付作業の作業性を向上させることができる。
【００５０】
固定具６がねじ５の螺合によって口金３に取り付けられていることにより、固定具６を取り外すにはドライバー等の工具が必要である。このため、固定具６が意図しない作業や衝突等によって不当に取り外されてしまうことを抑制することができる。
【００５１】
図７および図１０に示すように、また、先述のように、第１受容部３１３は、周方向に延びた溝部によって構成されている。このため、図６に示すように、一対の端子３２をｚ方向に並べた状態で、一対の端子３２を第２受容部４６から端子受容部４５へと挿入し、固定具６の第１凸部６４および第２凸部６５を口金３の第１受容部３１３とソケット４の第２受容部４６に係合させた状態で、ＬＥＤランプ２（口金３）をソケット４に対してｘ方向に延びる中心軸周りに回転させることが可能である。第１凸部６４を第１受容部３１３内に挿入し、また、第２凸部６５を第２受容部４６に挿入する。その後、ソケット４を口金３に装填させるように、ＬＥＤランプ２を回転させる。その際に、第１凸部６４を第１受容部３１３内で移動させた後にねじ５を雌ねじ部３１５に螺合させると、固定具６の取付が完了する。したがって、固定具６の取付作業の作業性をさらに向上させることができる。
【００５２】
図１３〜図３５は、本発明の変形例および他の実施形態を示している。なお、これらの図において、上記実施形態と同一または類似の要素には、上記実施形態と同一の符号を付している。
【００５３】
＜第１実施形態  第１変形例＞
図１３は、ＬＥＤ照明器具Ａ１の第１変形例を示す要部拡大断面図である。本変形例のＬＥＤ照明器具Ａ１１は、第１係合手段７１および第２係合手段７２の構成が、上述したＬＥＤ照明器具Ａ１と異なっている。
【００５４】
本変形例においては、口金３は、第１凸部３１４を有している。第１凸部３１４は、口金本体３１の周面部３１２からｚ方向床面側に突出する部位である。また、ソケット４は、第２凸部４７を有する。第２凸部４７は、ソケット４の円弧面４４からｚ方向床面側に突出している。
【００５５】
固定具６は、第１受容部６６および第２受容部６７を有する。第１受容部６６は、口金３の第１凸部３１４が進入することにより、第１凸部３１４と係合する部位である。図示された例においては、第１受容部６６は、円弧面部６３を径方向に貫通している。また、第１受容部６６は、ＬＥＤ照明器具Ａ１の第１受容部３１３と同様に、周方向に沿って延びた形状であることが好ましい。第２受容部６７は、ｘ方向において第１受容部６６と外面部６１との間に位置しており、ソケット４の第２凸部４７が進入することにより、第２凸部４７と係合する部位である。第２受容部６７は、たとえば円弧面部６３を貫通する孔である。本変形例においては、第１受容部６６および第２受容部６７によって第１係合手段７１が構成されており、口金３の第１凸部３１４およびソケット４の第２凸部４７によって第２係合手段７２が構成されている。つまり、第１凸部３１４を第１受容部６６内に挿入し、また、第２凸部４７を第２受容部６７に挿入する。その後、ソケット４を口金３に装填させるように、ＬＥＤランプ２を回転させる。その際に、第１凸部３１４を第１受容部６６内で移動させた後にねじ５を雌ねじ部３１５に螺合させると、固定具６の取付が完了する。第１係合手段７１と第２係合手段７２とは、互いに係合することにより、口金３とソケット４とが離間することを阻止する。
【００５６】
本変形例によっても、ＬＥＤ照明器具Ａ１１の電源仕様を適切に理解していない者など、意図しない者がＬＥＤランプ２を脱着することを抑制することが可能である。また、本変形例から理解されるように、第１係合手段７１および第２係合手段７２の具体的構成は特に限定されず、互いの係合により、口金３とソケット４との離間を阻止しうる構成であればよい。
【００５７】
＜第１実施形態  第２変形例＞
図１４および図１５は、ＬＥＤ照明器具Ａ１の第２変形例を示す要部拡大断面図である。本変形例のＬＥＤ照明器具Ａ１２は、固定具６およびねじ５の構成が、上述したＬＥＤ照明器具Ａ１およびＬＥＤ照明器具Ａ１１と異なっている。なお、図示されたＬＥＤ照明器具Ａ１２の第１係合手段７１および第２係合手段７２の構成は、ＬＥＤ照明器具Ａ１の構成と類似しているがこれに限定されず、ＬＥＤ照明器具Ａ１１の構成のほか様々な構成を採用しうる。
【００５８】
本変形例の固定具６は、膨出部６８を有している。膨出部６８は、口金３の雌ねじ部３１５から空隙を隔てて膨出した形状の部位である。膨出部６８には挿通孔６９が形成されている。
【００５９】
また、本変化例のねじ５は、ねじ頭部５１、大径部５２および小径部５３を有する。ねじ頭部５１は、ドライバー等の工具が当接される部位である。ねじ頭部５１の外径は、挿通孔６９の内径よりも大きい。大径部５２は、ねじ頭部５１とは反対側に位置しており、外径が挿通孔６９の内径よりも大きい。また、大径部５２には、雌ねじ部３１５と螺合しうる雄ねじが設けられている。小径部５３は、ねじ頭部５１と大径部５２との間に位置しており、外径が挿通孔６９の内径よりも小さい。図示された例においては、小径部５３は、ねじ頭部５１と大径部５２とに繋がっている。また、小径部５３には、雄ねじが形成されていてもよいし、形成されていなくてもよい。
【００６０】
本変形例においては、第１凸部６４を第１受容部３１３内に挿入し、また、第２凸部６５を第２受容部４６に挿入する。その後、ソケット４を口金３に装填させるように、ＬＥＤランプ２を回転させる。その際に、第１凸部６４を第１受容部３１３内で移動させた後にねじ５を雌ねじ部３１５に螺合させると、固定具６の取付が完了する。本変形例によっても、ＬＥＤ照明器具Ａ１２の電源仕様を適切に理解していない者など、意図しない者がＬＥＤランプ２を脱着することを抑制することが可能である。また、ねじ５を口金３の雌ねじ部３１５に螺合させて締め付けると、膨出部６８が弾性変形することにより、ｚ方向に収縮する。これにより、口金３やねじ５に過度な応力が生じることを抑制し、これらの破損を防止することができる。また、締め付けたねじ５には、縮小した膨出部６８からｚ方向床面側に向かう弾性力が付勢される。これにより、ねじ５の緩みを抑制することができる。
【００６１】
図１５に示すように、ねじ５と口金３との螺合を解除していくと、ねじ５が口金３から抜け出る方向に移動する。ねじ５は、大径部５２および小径部５３を有するため、大径部５２が挿通孔６９に到達すると、大径部５２と円弧面部６３とが当接する。これにより、ねじ５がｚ方向床面側へとさらに移動することが抑制される。これは、ねじ５が意図せずに固定具６から離間したり、ねじ５を紛失したりすることを防止するのに適している。
【００６２】
＜第１実施形態  第３変形例＞
図１６は、ＬＥＤ照明器具Ａ１の第３変形例を示す要部斜視図であり、図１７は、ブロック構成図である。本変形例のＬＥＤ照明器具Ａ１３は、端子台８を備えている。
【００６３】
端子台８は、外部から商用電源線８７が接続され、二対のソケット４のそれぞれと電圧線８５および中性線８６によって接続されている。商用電源線８７が、単相３線式の商用電力線である場合、端子台８から１つのＬＥＤランプ２（一対のソケット４）に、２本の電圧線８５と１本の中性線８６とが接続される。そして、本変形例においては、一方のソケット４に２本の電圧線８５が接続されており、他方のソケット４に１本の中性線８６が接続されている。
【００６４】
なお、図１７に示した端子台８は、たとえば直管蛍光灯に代えてＬＥＤランプ２等を装着することによりＬＥＤ照明器具Ａ１３を構成する際に、新規に設けられたものである。この場合に、たとえば直管蛍光灯用のものとして同様の態様の端子台（以下、既設の端子台という）が既に設けられており、端子台８の設置に伴い、既設の端子台に接続されていた商用電源線８７を取り外し、取り外した商用電源線８７を端子台８に接続してもよい。このような場合、既設の端子台の経年劣化等による不良を抑制し、ひいては、安全性の向上に寄与できる。
【００６５】
また、図１６に記載の中性線８６において、端子台８とソケット４との間に、対をなすコネクタを設け、これを介して接続する態様であってもよい。このような場合、端子台８とソケット４との間の中性線８６の配線処理等の簡素化を図ることが可能である。たとえば、施工場所が高所である場合など、中性線８６の配線処理が困難である場合に、このような構成が好ましい。
【００６６】
また、本変形例においては、端子台８は、支持具８１および磁石８２によって、支持部材１の底面部１４１に固定されている。支持具８１は、たとえば金属や樹脂からなる部材であり、端子台８を支持している。磁石８２は、たとえば支持具８１に対して端子台８とは反対側に取り付けられている。本変形例においては、支持部材１の各部、たとえばリフレクタ１４は、Ｆｅ等の磁性体材料からなる。これにより、端子台８は、磁石８２の磁力によって支持部材１のたとえば底面部１４１に固定されている。
【００６７】
本変形例によっても、ＬＥＤ照明器具Ａ１３の電源仕様を適切に理解していない者など、意図しない者がＬＥＤランプ２を脱着することを抑制することが可能である。また、一方のソケット４に２本の電圧線８５を接続し、他方のソケット４に中性線８６を接続することにより、ＬＥＤランプ２の内部の電源部の構成をよりシンプルな構成とすることが可能である。
【００６８】
なお、電圧線８５および中性線８６が、支持部材１内に配置された例を挙げたが、本変形例はこの態様にのみ限定されず、電圧線８５および中性線８６のいずれかもしくは双方を支持部材１の外に配置してもよい。たとえば、電圧線８５を支持部材１の外に設け、中性線８６を支持部材１の内側に配置する態様でもよい。
【００６９】
また、板厚１．２ｍｍ程度の金属製の電線管に電圧線８５および中性線８６のいずれかもしくは双方を配置してもよい。その結果、電圧線８５および中性線８６の劣化等による事故等を抑制したり、電線管を湾曲させることにより屈曲した配線経路の施工を容易としたりすることが可能である。
【００７０】
また、端子台８を磁石８２の磁力によって支持部材１に固定する構成であることにより、端子台８を所望の部位に固定することが可能である。たとえば、端子台８をＬＥＤランプ２と干渉しない部位に固定したり、ＬＥＤ照明器具Ａ１３の外観に表れにくい部位に固定したりすることができる。また、磁石８２を有する端子台８は、支持部材１の外に固定する構成であってもよい。
【００７１】
＜第２実施形態＞
図１８〜図２４は、本発明の第２実施形態に係るＬＥＤ照明器具を示している。図１８は、本実施形態のＬＥＤ照明器具Ａ２を示す要部分解斜視図である。図１９は、ＬＥＤ照明器具Ａ２を示す要部拡大斜視図である。図２０は、ＬＥＤ照明器具Ａ２を示す要部拡大断面図であり、ＬＥＤランプ２の中心を通るｚｘ平面における断面である。図２１は、図２０のＸＸI−ＸＸI線に沿う断面図である。図２２は、ＬＥＤ照明器具Ａ２を示す要部拡大分解斜視図である。図２３は、ＬＥＤ照明器具Ａ２を示す断面図である。図２４は、ＬＥＤ照明器具Ａ２の固定具６を示す、（ａ）は正面図であり、（ｂ）は平面図であり、（ｃ）は底面図であり、（ｄ）は側面図であり、（ｅ）は斜視図である。
【００７２】
ＬＥＤ照明器具Ａ２では、一対の口金３のうち一方の口金３が、口金本体３１、一対の端子３２および延長筒部３３を有する。延長筒部３３は、口金本体３１とカバー２３との間に位置するものであり、筒状の部位である。延長筒部３３の材質は特に限定されず、たとえば不透明な白色等の樹脂からなる。また、ＬＥＤ照明器具Ａ２は、電源部２５を備える。電源部２５は、口金３で受けた電力をＬＥＤ２２の点灯に適した電力に変換する機能を果たす。図示された例においては、電源部２５は、図２０に示すように電源基板２５１および複数の電源部品２５２からなる。電源基板２５１は、たとえばプリント配線基板であり、複数の電源部品２５２が搭載されている。複数の電源部品２５２は、電力変換機能を果たす回路を構成するものであり、たとえば、トランス、コンデンサ、抵抗器等を含む。
【００７３】
電源部２５は、延長筒部３３に収容されている。図示された例においては、電源部２５はそのすべてが電源部２５に収容されている。
【００７４】
図２１、図２２および図２３に示すように、本実施形態の口金３の口金本体３１は、一対の第１受容部３１３および一対の係合凹部３１７を有する。一対の第１受容部３１３は、ｙ方向両側に分かれて設けられており、各々が周面部３１２から凹んでいる。図示された例においては、第１受容部３１３は、ｘ方向に延びる溝部からなる。一対の係合凹部３１７は、一対の第１受容部３１３よりもｚ方向床面側に設けられており、互いにｙ方向に離間している。係合凹部３１７は、周面部３１２から凹んでいる。
【００７５】
本実施形態のソケット４は、ＬＥＤ照明器具Ａ１のソケット４と同様の機能を果たすものの、外観形状が異なる。ただし、本実施形態のソケット４も、端子受容部４５の開口部分である第２受容部４６を有している。
【００７６】
本実施形態の固定具６は、図２２および図２４に示すように、外観形状がＬＥＤ照明器具Ａ１の固定具６とは異なっている。この形状の相違は、主にソケット４の形状の相違と、口金３との係合形態の相違に起因する。本実施形態の固定具６は、外面部６１、円弧面部６３、一対の第１凸部６４、第２凸部６５、一対の解除用孔６０２および一対の係合凸部６０３を有する。
【００７７】
外面部６１は、ソケット４の外面４２を覆う部位である。本実施形態の外面部６１は、凹部６１１を有する。凹部６１１は、外面部６１のｙ方向中央部分がｚ方向床面側に凹んだ部位である。このような凹部６１１は、たとえばソケット４の一部との干渉を回避するためや、作業性の向上のために設けられる。
【００７８】
円弧面部６３は、ソケット４の円弧面４４を覆う部位であり、ｘ方向視において円弧形状である。一対の第１凸部６４は、円弧面部６３の両端に設けられており、径方向（ｙ方向）内方に突出している。図２０および図２４に示すように、第２凸部６５は、円弧面部６３の内周面からｚ方向天井側に突出しており、ｘ方向において一対の第１凸部６４と外面部６１との間に位置している。
【００７９】
一対の解除用孔６０２は、ｙ方向に互いに分かれて設けられており、円弧面部６３を貫通する孔である。一対の解除用孔６０２は、ｘ方向における位置が一対の第１凸部６４と略同じであり、ｚ方向において一対の第１凸部６４よりも床面側に位置している。
【００８０】
一対の係合凸部６０３は、円弧面部６３の内面から突出している。一対の係合凸部６０３は、ｙ方向に互いに離間して設けられている。一対の係合凸部６０３は、ｘ方向における位置が一対の第１凸部６４と概ね一致している。
【００８１】
図２２および図２３に示すように、ＬＥＤランプ２（一対の口金３）を一対のソケット４に装填した状態で、一対の固定具６のそれぞれをｚ方向床面側から口金３およびソケット４に接近させる。すると、固定具６の一対の第１凸部６４が口金３の一対の第１受容部３１３に係合する。また、図２０に示すように、固定具６の第２凸部６５がソケット４の第２受容部４６に係合する。これにより、口金３とソケット４とが互いに離間することが固定具６によって阻止される構造となる。このように、本実施形態においては、固定具６の一対の第１凸部６４と第２凸部６５とによって第１係合手段７１が構成されており、口金３の一対の第１受容部３１３とソケット４の第２受容部４６とによって第２係合手段７２が構成されている。また、固定具６は、一対の第１凸部６４が一対の第１受容部３１３に係合することにより、口金３に固定される。このため、ＬＥＤ照明器具Ａ１におけるねじ５等は用いられない。また、固定具６が口金３およびソケット４に取り付けられた状態においては、図２１に示すように、固定具６の一対の係合凸部６０３が口金３の一対の係合凹部３１７に係合する。
【００８２】
本実施形態によっても、ＬＥＤ照明器具Ａ２の電源仕様を適切に理解していない者など、意図しない者がＬＥＤランプ２を脱着することを抑制することが可能である。また、固定具６を口金３に固定するためにねじ５等を必要としない。これは、固定具６の取付作業の作業性向上に有利である。また、図２１に示すように、一対の解除用孔６０２のいずれかに工具９１の先端を挿入することにより、円弧面部６３を部分的に径方向外側に変形させると、一方の第１凸部６４と一方の第１受容部３１３との係合が解除される。これにより、固定具６を口金３およびソケット４から取り外すことが可能である。このように、本実施形態の固定具６は、口金３およびソケット４に被せて押し付けることにより、工具等を用いることなく口金３に固定することが可能である一方、取り外す際には、工具９１等が必要となる。これは、意図しない者が固定具６を取り外してしまうことを回避するのに有利である。
【００８３】
なお、一対の解除用孔６０２に工具９１を挿入することにより、円弧面部６３を部分的に径方向外側に変形させて、一方の第１凸部６４と一方の第１受容部３１３との係合が解除させた際に、円弧面部６３または第１凸部６４が破壊される構成であってもよい。このような構成にすることによって、ＬＥＤ照明器具Ａ２の電源仕様を適切に理解していない者など、意図しない者がＬＥＤランプ２を脱着させようとしたことの痕跡を残すことが可能であり、意図しない者が固定具６を取り外してしまうことを抑止可能である。
【００８４】
また、本実施形態から理解されるように、固定具６の具体的な形状や構造は、ソケット４の形状等に応じて適宜設定される。
【００８５】
＜第２実施形態  第１変形例＞
図２５および図２６は、ＬＥＤ照明器具Ａ２の第１変形例を示している。本変形例のＬＥＤ照明器具Ａ２１においては、ソケット４の形状がＬＥＤ照明器具Ａ２のソケット４と異なっている。これに対応して、本変形例の固定具６の形状や構造は、ＬＥＤ照明器具Ａ２の固定具６とは異なっている。ただし、固定具６の一対の第１凸部６４および第２凸部６５によって第１係合手段７１が構成されており、口金３の一対の第１受容部３１３とソケット４の第２受容部４６とによって第２係合手段７２が構成されている点は、ＬＥＤ照明器具Ａ２と同様である。
【００８６】
本変形例の固定具６は、本変形例のソケット４に対応した形状および構造とされており、たとえばＬＥＤ照明器具Ａ２の固定具６に設けられていた凹部６１１は、本変形例の固定具６には設けられていない。
【００８７】
本変形例によっても、ＬＥＤ照明器具Ａ２１の電源仕様を適切に理解していない者など、意図しない者がＬＥＤランプ２を脱着することを抑制することが可能である。また、第１係合手段７１および第２係合手段７２の基本的な構成が共通であっても、ソケット４の形状や構造が異なる場合、それに応じた固定具６を用意することにより、ＬＥＤランプ２の取付や意図しない取り外しを抑制することができる。
【００８８】
＜第２実施形態  第２変形例＞
図２７および図２８は、ＬＥＤ照明器具Ａ２の第２変形例を示している。本変形例のＬＥＤ照明器具Ａ２２においては、ソケット４の形状がＬＥＤ照明器具Ａ２およびＬＥＤ照明器具Ａ２１のソケット４と異なっている。これに対応して、本変形例の固定具６の形状や構造は、ＬＥＤ照明器具Ａ２およびＬＥＤ照明器具Ａ２１の固定具６とは異なっている。ただし、固定具６の一対の第１凸部６４および第２凸部６５によって第１係合手段７１が構成されており、口金３の一対の第１受容部３１３とソケット４の第２受容部４６とによって第２係合手段７２が構成されている点は、ＬＥＤ照明器具Ａ２およびＬＥＤ照明器具Ａ２１と同様である。
【００８９】
本変形例のソケット４は、ｘ方向寸法（たとえば内面４１と外面４２との距離）がＬＥＤ照明器具Ａ２やＬＥＤ照明器具Ａ２１のソケット４と比べて大きい。これに対応して、本変形例の固定具６は、ｘ方向寸法が大きく形成されている。
【００９０】
本変形例によっても、ＬＥＤ照明器具Ａ２２の電源仕様を適切に理解していない者など、意図しない者がＬＥＤランプ２を脱着することを抑制することが可能である。
【００９１】
＜第２実施形態  第３変形例＞
図２９および図３０は、ＬＥＤ照明器具Ａ２の第３変形例を示している。本変形例のＬＥＤ照明器具Ａ２３においては、口金３および固定具６の形状がＬＥＤ照明器具Ａ２の口金３および固定具６と異なっている。本変形例のソケット４は、ＬＥＤ照明器具Ａ２のソケット４と同じである。
【００９２】
図３０に示すように、口金３は、１つのみの係合凹部３１７を有する。本変形例の係合凹部３１７は、周面部３１２のｚ方向最上部から凹んでいる。また、口金３は、端壁部３１３ａを有している。端壁部３１３ａは、第１受容部３１３のｘ方向外方端に設けられており、第１受容部３１３をｘ方向外方から塞いでいる。端壁部３１３ａが設けられていることにより、本変形例の第１受容部３１３のｘ方向のサイズは、ＬＥＤ照明器具Ａ２の第１受容部３１３のｘ方向のサイズよりも小さい。
【００９３】
図３１は、本変形例の固定具６を示す斜視図である。本変形例の固定具６は、上述したＬＥＤ照明器具Ａ２の固定具６と一部の構成が共通している。本変形例の固定具６は、外面部６１に凹部６１１および一対の延出部６１２が設けられている。凹部６１１は、外面部６１のｙ方向中央部がｚ方向に凹んだ部位である。一対の延出部６１２は、凹部６１１を挟んでｙ方向両側に設けられており、各々がｚ方向に延出している。また、本変形例においては、口金３が１つのみの係合凹部３１７を有することに対応して、固定具６は、１つのみの係合凸部６０３を有する。また、口金３の第１受容部３１３のｘ方向のサイズが縮小されていることに対応して、固定具６の一対の第１凸部６４のｘ方向のサイズは、ＬＥＤ照明器具Ａ２の第１凸部６４のｘ方向のサイズよりも小さい。
【００９４】
本変形例によっても、ＬＥＤ照明器具Ａ２３の電源仕様を適切に理解していない者など、意図しない者がＬＥＤランプ２を脱着することを抑制することが可能である。また、口金３に端壁部３１３ａが設けられていることにより、第１受容部３１３に係合した第１凸部６４がｘ方向に過度に動いてしまうことを規制可能である。これは、固定具６を口金３に装填している際に、固定具６がｘ方向に不当に動いてしまうことを抑制するのに適している。また、固定具６が一対の延出部６１２を有することにより、一対の延出部６１２がソケット４の外面４２のより広い領域を覆う格好となる。これにより、ＬＥＤランプ２のｚ方向への移動を規制するため、固定具６の装填強度を向上するのに適している。
【００９５】
＜第２実施形態  第４変形例＞
図３２および図３３は、ＬＥＤ照明器具Ａ２の第４変形例を示している。本変形例のＬＥＤ照明器具Ａ２４においては、口金３および固定具６の形状がＬＥＤ照明器具Ａ２１の口金３および固定具６と異なっている。本変形例のソケット４は、ＬＥＤ照明器具Ａ２１のソケット４と同じである。また、本変形例の口金３は、ＬＥＤ照明器具Ａ２３の口金３と同じである。
【００９６】
本変形例においても、口金３が１つのみの係合凹部３１７を有し、固定具６が１つのみの係合凸部６０３を有する。また、口金３が端壁部３１３ａを有することにより第１受容部３１３のｘ方向のサイズが縮小されていることに対応して、固定具６の第１凸部６４のｘ方向のサイズは、ＬＥＤ照明器具Ａ２１の第１凸部６４のｘ方向のサイズよりも小さい。
【００９７】
本変形例の固定具６は、一対の側面部６２を有する。一対の側面部６２は、ソケット４の一対の側面４３を覆う。また、本変形例の外面部６１は、ｚ方向下端が一対の側面部６２のｚ方向下端と同じ位置にあり、ＬＥＤ照明器具Ａ２１の固定具６の外面部６１よりもｚ方向のサイズが大きい。
【００９８】
本変形例によっても、ＬＥＤ照明器具Ａ２４の電源仕様を適切に理解していない者など、意図しない者がＬＥＤランプ２を脱着することを抑制することが可能である。また、固定具６が、一対の側面部６２を有し、且つ外面部６１のｚ方向のサイズが拡大されていることにより、ＬＥＤランプ２のｚ方向への移動を規制するため、固定具６の装填強度を向上させることができる。
【００９９】
＜第２実施形態  第５変形例＞
図３４および図３５は、ＬＥＤ照明器具Ａ２の第５変形例を示している。本変形例のＬＥＤ照明器具Ａ２５においては、口金３および固定具６の形状がＬＥＤ照明器具Ａ２２の口金３および固定具６と異なっている。本変形例のソケット４は、ＬＥＤ照明器具Ａ２２のソケット４と同じである。また、本変形例の口金３は、ＬＥＤ照明器具Ａ２３，Ａ２４の口金３と同じである。
【０１００】
本変形例においても、口金３が１つのみの係合凹部３１７を有し、固定具６が１つのみの係合凸部６０３を有する。また、口金３が端壁部３１３ａを有することにより第１受容部３１３のｘ方向のサイズが縮小されていることに対応して、固定具６の第１凸部６４のｘ方向のサイズは、ＬＥＤ照明器具Ａ２２の第１凸部６４のｘ方向のサイズよりも小さい。
【０１０１】
本変形例の固定具６は、一対の側面部６２を有する。一対の側面部６２は、ソケット４の一対の側面４３を覆う。また、本変形例の外面部６１は、ｚ方向下端が一対の側面部６２のｚ方向下端と同じ位置にあり、ＬＥＤ照明器具Ａ２２の固定具６の外面部６１よりもｚ方向のサイズが大きい。
【０１０２】
本変形例によっても、ＬＥＤ照明器具Ａ２５の電源仕様を適切に理解していない者など、意図しない者がＬＥＤランプ２を脱着することを抑制することが可能である。また、固定具６が、一対の側面部６２を有し、且つ外面部６１のｚ方向のサイズが拡大されていることにより、ＬＥＤランプ２のｚ方向への移動を規制するため、固定具６の装填強度を向上させることができる。
【０１０３】
＜第２実施形態  第６変形例＞
図３６〜図３８は、ＬＥＤ照明器具Ａ２の第６変形例を示している。本変形例のＬＥＤ照明器具Ａ２６においては、口金３および固定具６の形状が上述した変形例と異なっている。本変形例のソケット４は、ＬＥＤ照明器具Ａ２３のソケット４と同じである。図３８は、第１凸部６４を通るｘ方向に対して直角である断面における要部断面図である。
【０１０４】
本変形例の固定具６は、外面部６１および円弧面部６３を有する。外面部６１は、凹部６１１および一対の延出部６１２を有しており、ＬＥＤ照明器具Ａ２３の固定具６の外面部６１と同様の構成である。円弧面部６３は、ＬＥＤ照明器具Ａ２３の固定具６の円弧面部６３と全体形状が類似しているものの、ＬＥＤ照明器具Ａ２３における解除用孔６０２は形成されていない。
【０１０５】
本変形例の固定具６は、一対の第１凸部６４および一対の解除用突起６４１を有する。一対の第１凸部６４は、口金３の一対の第１受容部３１３に係合する。図３６および図３８は、一対の第１凸部６４が一対の第１受容部３１３に係合した状態を示している。
【０１０６】
一対の解除用突起６４１は、一対の第１凸部６４に対してｙ方向両側外方に突出しており、先端部分がｚ方向床面側に突出している。解除用突起６４１と円弧面部６３との間には、隙間が形成されている。
【０１０７】
図３８に示すように、固定具６を口金３から取り外す際には、解除用突起６４１と円弧面部６３との隙間に、たとえば工具９１の先端を挿入し、解除用突起６４１をｙ方向外側へと移動させる。これにより、固定具６が弾性変形し、第１凸部６４と第１受容部３１３との係合が解除される。この結果、固定具６を口金３から取り外すことができる。
【０１０８】
または、解除用突起６４１と円弧面部６３との隙間に、たとえば工具９１の先端を挿入し、解除用突起６４１をｙ方向外側へと移動させることにより、円弧面部６３が破壊されることとしてもよい。このような構成によって、固定具６が口金３から取り外したことの痕跡を残すことができるため、ＬＥＤ照明器具Ａ２６の電源仕様を適切に理解していない者など、意図しない者がＬＥＤランプ２を脱着することを抑制することが可能である。
【０１０９】
本変形例によっても、ＬＥＤ照明器具Ａ２６の電源仕様を適切に理解していない者など、意図しない者がＬＥＤランプ２を脱着することを抑制することが可能である。また、本変形例から理解されるように、第１凸部６４と第１受容部３１３との係合をより容易に解除し得るように設けられる構成は、上述した解除用孔６０２に限定されず、本変形例の解除用突起６４１等、種々の構成を採用することができる。
【０１１０】
本発明に係るＬＥＤ照明器具は、上述した実施形態に限定されるものではない。本発明に係るＬＥＤ照明器具の各部の具体的な構成は、種々に設計変更自在である。
【符号の説明】
【０１１１】
Ａ１，Ａ１１，Ａ１２，Ａ１３，Ａ２，Ａ２１，Ａ２２，Ａ２３，Ａ２４，Ａ２５，Ａ２６：ＬＥＤ照明器具
１      ：支持部材
２      ：ＬＥＤランプ
３      ：口金
４      ：ソケット
５      ：ねじ
６      ：固定具
８      ：端子台
１１    ：底板部
１２    ：端板部
１３    ：連結板部
１４    ：リフレクタ
１５    ：接続部材
１９    ：ルーバーカバー
２１    ：ＬＥＤ基板
２２    ：ＬＥＤ
２３    ：カバー
２４    ：放熱部材
２５    ：電源部
３１    ：口金本体
３２    ：端子
３３    ：延長筒部
４１    ：内面
４２    ：外面
４３    ：側面
４４    ：円弧面
４５    ：端子受容部
４６    ：第２受容部
４７    ：第２凸部
５１    ：ねじ頭部
５２    ：大径部
５３    ：小径部
６１    ：外面部
６２    ：側面部
６３    ：円弧面部
６４    ：第１凸部
６５    ：第２凸部
６６    ：第１受容部
６７    ：第２受容部
６８    ：膨出部
６９    ：挿通孔
７１    ：第１係合手段
７２    ：第２係合手段
８１    ：支持具
８２    ：磁石
８５    ：電圧線
８６    ：中性線
８７    ：商用電源線
９１    ：工具
１４１  ：底面部
１４２  ：側面部
１４３  ：斜面部
２３１  ：半筒部
２３２  ：凸条部
２３３  ：係合リブ
２４１  ：支持板部
２４２  ：半筒部
２４３  ：凸条部
２４４  ：溝部
２５１  ：電源基板
２５２  ：電源部品
３１１  ：端面部
３１２  ：周面部
３１３  ：第１受容部
３１３ａ：端壁部
３１４  ：第１凸部
３１５  ：雌ねじ部
３１７  ：係合凹部
６０２  ：解除用孔
６０３  ：係合凸部
６１１  ：凹部
６４１  ：解除用突起
【図１】
2020145148.tif 000003
【図２】
2020145148.tif 000004
【図３】
2020145148.tif 000005
【図４】
2020145148.tif 000006
【図５】
2020145148.tif 000007
【図６】
2020145148.tif 000008
【図７】
2020145148.tif 000009
【図８】
2020145148.tif 000010
【図９】
2020145148.tif 000011
【図１０】
2020145148.tif 000012
【図１１】
2020145148.tif 000013
【図１２】
2020145148.tif 000014
【図１３】
2020145148.tif 000015
【図１４】
2020145148.tif 000016
【図１５】
2020145148.tif 000017
【図１６】
2020145148.tif 000018
【図１７】
2020145148.tif 000019
【図１８】
2020145148.tif 000020
【図１９】
2020145148.tif 000021
【図２０】
2020145148.tif 000022
【図２１】
2020145148.tif 000023
【図２２】
2020145148.tif 000024
【図２３】
2020145148.tif 000025
【図２４】
2020145148.tif 000026
【図２５】
2020145148.tif 000027
【図２６】
2020145148.tif 000028
【図２７】
2020145148.tif 000029
【図２８】
2020145148.tif 000030
【図２９】
2020145148.tif 000031
【図３０】
2020145148.tif 000032
【図３１】
2020145148.tif 000033
【図３２】
2020145148.tif 000034
【図３３】
2020145148.tif 000035
【図３４】
2020145148.tif 000036
【図３５】
2020145148.tif 000037
【図３６】
2020145148.tif 000038
【図３７】
2020145148.tif 000039
【図３８】
2020145148.tif 000040